(57)【要約】【課題】  保存温度帯の異なる多種類の食料品等を同時に積載して輸送する車両につき、構造がシンプルであるとともに荷室内のスペースを有効に活用することが可能な輸送用車両の荷室構造の提供。【解決手段】  荷室１２の天井部に複数の貨物室２２〜２６の間に跨る一列のダクト１４を配設し、ダクト１４は最も設定温度の低い第１の貨物室内２２に開口する吸込口を備え、吸込口の吸込ファン３０から第１の貨物室２２内の空気を吸い込むとともに、温度帯の異なる他の貨物室２４，２６にはダクト１４と連通する冷気の送風口３４Ａ〜３４Ｃが、他の貨物室２４，２６の天井部分にそれぞれ設けられ、ダクト１４を介して第１の貨物室２２内の空気を他の貨物室２４，２６へ導入するように構成されているとともに、他の貨物室２４，２６のうち少なくとも一室にはヒータが別途設置されている。【選択図】  図１
0003177565.tif 000002
【実用新案登録請求の範囲】
【請求項１】
トラックなどの輸送用車両における荷室内に可動間仕切を設置することにより少なくとも２以上の貨物室に分割し、これらの各貨物室には、保存温度帯の異なる多種類の積荷を同時に積載可能とした車両の荷室構造であって、
前記荷室の天井部に前記複数の貨物室の間に跨る一列のダクトを配設し、該ダクトは最も設定温度の低い第１の貨物室内に開口する吸込口を備え、該吸込口から第１の貨物室内の空気を設置された吸込ファンによって吸い込むとともに、温度帯の異なる他の貨物室には該ダクトと連通する冷気の送風口が、該他の貨物室の天井部分にそれぞれ設けられ、該ダクトを介して第１の貨物室内の空気を他の貨物室へ導入するように構成され、
車両に設置された冷凍機によって前記第１の貨物室内に冷気を供給することにより該第１の貨物室内を所定温度に維持するとともに、前記他の貨物室のうち少なくとも一室にはヒータが設置されており、前記可動間仕切には隣接する貨物室間にて空気を循環させる連通孔が設けられ、該ヒータの設置されている当該貨物室に前記送風口から導入される冷気を該ヒータによって暖めて当該貨物室の空気と混合することにより、前記第１の貨物室よりも当該貨物室の設定温度を高く維持するようにし、且つ前記複数の貨物室のうち、少なくとも保存温度帯の異なる２以上の貨物室には荷物の積み降ろし用のドアがそれぞれ設けられていることを特徴とする車両の荷室構造。
【考案の詳細な説明】
【技術分野】
【０００１】
本考案は、輸送用車両の荷室構造に係わり、特に、冷凍及び冷蔵など例えば保存温度帯の異なる多種類の食料品等を同時に積載して輸送することが可能な複数の荷室を備えたトラック等、輸送用車両の荷室構造に関する。
【背景技術】
【０００２】
従来、冷凍保存若しくは冷蔵保存の必要な食料品を輸送するために、トラックの荷室を冷凍室並びに冷蔵室に分割することにより、荷室内に保存温度帯の異なる多種類の積荷、例えば日配品などの食料品を積載して目的地まで輸送することができる車両が知られている。このような保存温度帯の異なる多種類の積荷を混載可能な車両では、一般に冷凍装置など熱交換装置としてエバポレータ（蒸発器）を設置し、当該エバポレータによって冷凍室内を所定温度に保持するようになっている。また、冷凍室と冷蔵室とをダクトで連通させ、このダクトを介して冷蔵室へ冷凍室の冷気をファンによって導くことにより、冷蔵室内を冷凍室内よりも高い温度に維持するようになっている。このように構成した場合、エバポレータが一基ですむことからコスト的に安価で製造できるという長所がある。
【０００３】
かかる車両の一例として、特開２００８−１３４００１号公報記載の車両用冷却装置に関する発明が公知である。同公報記載の車両用冷却装置は、冬場等における冷蔵室の冷えすぎの防止を目的としている。かかる目的達成のため具体的には、冷凍室と冷蔵室とを結んでいるダクトのうち、冷凍室側のダクト開口部に遮蔽手段を設け、送風機の停止時にダクト開口部を遮蔽手段によって遮蔽し、冷凍室からダクトを介して冷蔵室内へ流れ込む冷気の移動を阻止することにより冷蔵室内の温度低下を防止するようにしている。また、ダクト自体の温度低下も同時に防止することができるため、ダクトに生じる結露も防ぐことができるとされている。
【０００４】
また、特開２００１−２８０７９８号公報には、車両の荷室を冷蔵室と冷凍室とに可動間仕切によって分割するとともに、上壁（天井）部分に冷凍室と冷蔵室との間跨る複数列のダクトを形成した発明が開示されている。つまり、これらの複数列のダクトを冷凍室から冷蔵室へ冷気を供給するエアダクト、並びに冷蔵室の空気を冷凍室に送給する空気循環ダクトとして荷室内におけるダクトなどの突出物を無くし、これによって積荷の積み降ろしを容易ならしめ、荷室の空間スペースを有効に活用しうるとされている。
【先行技術文献】
【特許文献】
【０００５】
【特許文献１】特開２００８−１３４００１号公報
【特許文献２】特開２００１−２８０７９８号公報
【考案の開示】
【考案が解決しようとする課題】
【０００６】
しかしながら、前述した開２００８−１３４００１号公報（特許文献１）の発明は、送風機の送風並びに送風停止等の運転状態を制御する送風制御手段が必要になるなど、構造の複雑化を招き、コスト高や保守点検が煩雑となる課題がある。
また、特開２００１−２８０７９８号公報（特許文献２）記載の発明では、エアダクトと空気循環ダクトを上壁（天井）部分に設けているが、複数列のダクトを設置するため、天井内部にある程度のスペースが必要であり、これらの複数列のダクトの存在が荷室内の室内高を制限する要因になるとともに且つ天井部分の構造が複雑化するという問題がある。
【０００７】
本考案は、このような諸事情に対処するために提案されたものであって、トラックなどの荷室部分を複数の荷室に分割し、保存温度帯の異なる多種類の食料品等を同時に積載して輸送する車両につき、構造がシンプルであるとともに荷室内のスペースを有効に活用することができ、積荷の積み下ろしを容易に行うことが可能な車両の荷室構造を提供することを目的とする。
【課題を解決するための手段】
【０００８】
上記目的を達成するために、請求項１記載の考案は、トラックなどの輸送用車両における荷室内に可動間仕切を設置することにより少なくとも２以上の貨物室に分割し、これらの各貨物室には、保存温度帯の異なる多種類の積荷を同時に積載可能とした車両の荷室構造であって、前記荷室の天井部に前記複数の貨物室の間に跨る一列のダクトを配設し、該ダクトは最も設定温度の低い第１の貨物室内に開口する吸込口を備え、該吸込口から第１の貨物室内の空気を設置された吸込ファンによって吸い込むとともに、温度帯の異なる他の貨物室には該ダクトと連通する冷気の送風口が、該他の貨物室の天井部分にそれぞれ設けられ、該ダクトを介して第１の貨物室内の空気を他の貨物室へ導入するように構成され、車両に設置された冷凍機によって前記第１の貨物室内に冷気を供給することにより該第１の貨物室内を所定温度に維持するとともに、前記他の貨物室のうち少なくとも一室にはヒータが設置されており、前記可動間仕切には隣接する貨物室間にて空気を循環させる連通孔が設けられ、該ヒータの設置されている当該貨物室に前記送風口から導入される冷気を該ヒータによって暖めて当該貨物室の空気と混合することにより、前記第１の貨物室よりも当該貨物室の設定温度を高く維持するようにし、且つ前記複数の貨物室のうち、少なくとも保存温度帯の異なる２以上の貨物室には荷物の積み降ろし用のドアがそれぞれ設けられていることを特徴としている。
【考案の効果】
【０００９】
上述のように、本考案によれば、保存温度帯の異なる多種類の食料品等を同時に積載して輸送する車両につき、トラックなどの荷室部分を積荷の量や種類に応じて、任意の位置で複数の荷室に分割することが可能なため、荷室内のスペースを有効に活用することができる。また、各貨物室の断熱性能が向上し、冷却、温度保持に要するエネルギーの低減に寄与する。
【図面の簡単な説明】
【００１０】
【図１】本考案の一実施形態に係る輸送用車両の荷室構造が適用された輸送用車両の概略斜視図である。
【図２】同じく、本考案の一実施形態に係る輸送用車両の荷室構造の要部であるダクトの概略的な構成を示す斜視図である。
【図３】同じく、本考案の一実施形態に係る輸送用車両の荷室構造の荷室のうち、天井パネルの構造を示す斜視図である。
【図４】同じく、本考案の一実施形態に係る輸送用車両の荷室構造の要部である荷室の内部を示す概略図である。
【図５】同じく、本考案の一実施形態に係る輸送用車両の荷室構造の主要構成部材である可動間仕切を荷室内に設置する固定ベルトと、固定レールとの関係を示す一部断面図である。
【図６】同じく、本考案の一実施形態に係る輸送用車両の荷室構造のうち、第１〜３の貨物室とダクトとの配置関係を示す平面図である。
【図７】同じく、本考案の一実施形態に係る輸送用車両の荷室構造のうち、第１〜３の貨物室とダクトとの配置関係を側面側から視た説明図である。
【図８】同じく、本考案の一実施形態に係る輸送用車両の荷室構造のうち、貨物室の間での空気の流れを模式的に示した説明図である。
【考案を実施するための最良の形態】
【００１１】
以下、本考案に係る車両の荷室構造の好適な実施形態について添付図面を参照して説明する。
図１は本考案の一実施形態に係る輸送用車両の荷室構造が適用された輸送用車両１０の概略図であり荷室１２の一部を切り欠いて示す斜視図、図２は本実施形態の荷室構造の要部であるダクト１４の概略的な構成を示す斜視図、図３は本実施形態の荷室１２のうち、天井パネル１６の構造を示す斜視図である。図４は荷室の内部を示す概略図である。
【００１２】
図１〜図３に示されるように、輸送用車両１０の荷室１２に、２枚の可動間仕切１８，２０を設置することにより複数の第１〜３の貨物室２２，２４，２６（図１では３室）に分割され、各貨物室２２〜２６には保存温度帯の異なる例えば生鮮食料品又は冷凍食品など多種類の積荷を同時に積載することができるようになっている。可動間仕切１８，２０は荷室１２内の所望の位置に固定することが可能であり、各貨物室２２〜２６の面積・容積を積荷の量に応じて変更することが可能である。また、本字実施態では、２つの可動間仕切１８，２０を使用して計３室の貨物室としているが、可動間仕切の数を増加・減少させることによって、荷室１２に形成される貨物室の数を適宜増減することができる。
【００１３】
図１及び図４に示されるように、可動間仕切１８，２０は、それぞれ左右一対の矩形状の仕切壁１８Ａ，１８Ｂ，２０Ａ，２０Ｂを備え、荷室１２の左右内壁に前後方向に亘って取り付けられた固定レール２３，２３・・、固定ベルト２１，２１によって可動間仕切１８，２０を荷室１２内に立設して所望位置に固定することが可能である。可動間仕切１８，２０の側面には、クッション性を備えたゴム枠１７が周囲沿って取り付けられており、このゴム枠１７が荷室１２の内側に密着することによって各貨物室２２〜２６の気密性を保持するようになっている。また、ゴム枠１７は緩衝材としても機能し、走行時における荷室１２の変形、揺れなどを吸収し、貨物室内の密閉性を維持する役割をも併せ持っている。
【００１４】
さらに、荷室１２の側面には、第１の貨物室２２を側方から開閉する側面ドア１９が設置されており、第２，３の貨物室を通ることなく、当該側面ドア１９を開放することによって直接積荷の積み込み・積み降ろしを行うことができるようになっている。これによって、第２，３の貨物室内を直接開放することがないので、換気による温度変化を少なくし、無駄な熱損失を防止することができ、結果的に温度保持に要するエネルギーの低減を図ることが可能である。
【００１５】
図５は可動間仕切１８，２０を荷室１２内に設置する固定ベルト２１と、固定レール２３との関係を示す一部断面図である。同図に示されるように、固定ベルト２１の先端には固定金具２１Ａが取り付けられ、この固定金具２１Ａには係止部２１Ｂが形成されている。また、固定レール２３には、等間隔で複数の係合部２３Ａが設けられ、この係合部２３Ａに係止部２１Ｂを挿入した状態でレバー２１Ｃをロック側へ移動させて固定金具２１Ａに固定することにより、可動間仕切１８，２０を荷室１２内に立設して固定することができるようになっている。
【００１６】
図２及び図３に示されるように、荷室１２の天井部１２Ａには天井パネル１６が一定のクリアランスを隔てて取り付けられることにより、天井パネル１６と荷室１２の天井部１２Ａとの間に、ふところとなる天井空間部２５が形成され、この天井空間部２５には荷室１２との貨物室２２，２４，２６に跨る一列のダクト１４が車両の前後方向に配設されている。ダクト１４は扁平な矩形断面の筒状に形成され、そのうち、第１の貨物室２２に面する下側部分には吸込ファン３０を備えた吸込口３２が設けられており、第１の貨物室２２内の冷気を吸込ファン３０によって吸い込み、ダクト１４内に吸引することができるようになっている。本実施形態において、一列のダクト１４を採用しているのは、複数列のダクトとすると構造が複雑化し、メンテナンスに手間がかかるとともに、製造コストの上昇につながることを回避するためである。
【００１７】
また、ダクト１４には合計３つの送風口３４Ａ，３４Ｂ，３４Ｃが、その下面に設けられ、各送風口３４Ａ〜Ｃには当該送風口を閉塞若しくは開放するスライド可能なシャッタ３６Ａ，３６Ｂ，３６Ｃが取り付けられている。これらの吸込口３２、各送風口３４Ａ〜Ｃ、シャッタ３６Ａ〜Ｃは、天井パネル１６から突出しないように設置され、各貨物室２２，２４，２６のスペースを犠牲にすることがない。天井空間部２５には図示しない断熱材が充填されており、断熱構造が採用されている。
【００１８】
図６は第１〜３の貨物室２２〜２６とダクト１４との配置関係を示す平面図、図７は側面側から視た説明図である。これらの図に示されるように、第１の貨物室２２には吸込口３２が開口しているとともに、車両１０の荷室１２の前部側には、エバポレータ（蒸発器）等の冷凍機３８が設置され、第１の貨物室２２内の空気を吸い込んで冷却し、熱交換されて冷却された冷気を図示しない冷凍機３８の供給口から第１の貨物室２２内に供給し、最も温度帯の低い領域Ａとして温度を保持するようになっている。第３の貨物室２６には電気式のヒータ３９が設置され、第３の貨物室２６を所定温度に保持するようになっている。
【００１９】
第１の貨物室２２に隣接する第２の貨物室２４には、可動間仕切２０を荷室１２内の後方よりに配置することによって前述したダクト１４の送風口３４Ａ〜Ｃのうち、３４Ｂが天井パネル１６に開口して臨んでおり、第１の貨物室２２内の冷気を送風口３４Ｂから第２の貨物室２４内へ導入することができるようになっている。第２の貨物室２４は、第１の貨物室２２に比較し、やや高い温度帯に維持する領域Ｂとなる。第３の貨物室２６には、送風口３４Ｃを開口させることによって第１の貨物室２２内の冷気をダクト１４及び送風口３４Ｃから導入することが可能であり、前述したヒータ３９を併用して使用することにより、第２の貨物室２４よりも温度帯の高い領域Ｃとなる。なお、第２，３への冷気の導入量は、送風口３４Ａ〜Ｃの開口量を適宜変更することによって調節することができる。
【００２０】
図８は貨物室の間における空気の流れを模式的に示した説明図で、第１の貨物室２２，２４間における空気の循環状況を示している。同図に示されるように、ダクト１４の送風口３４Ｂから、第１の貨物室２２の冷気が第２の貨物室２４内へ導入される一方、第２の貨物室２４内の空気は可動間仕切２０Ｂに設けられた連通孔４０を介して第１の貨物室２２内へ吸引される。この吸引力は、第１の貨物室２２内に設置されている冷凍機３８の空気導入口の吸引作用によるものである。
【００２１】
つまり、各貨物室２２〜２６は、ダクト１４、冷凍機３８、ヒータ３９によって空気を循環させつつ、加温、冷却を同時に行うことで、それぞれの貨物室を、積荷に応じた適温に保持するようにしている。
なお、本実施形態では、第３の貨物室２６にのみヒータ３９を設置しているが、場合によっては第２の貨物室２４に設置するなど、積荷の種類に応じて適宜追加することが可能である。
【００２２】
本実施形態の輸送用車両の荷室構造によれば、保存温度帯の異なる日配品などを複数の貨物室に収容して輸送することが可能である。
また、可動間仕切１８，２０の設置位置を変更することにより、荷室の内部スペースの面積を収容する積荷に応じて適宜変更することが可能なため、輸送効率の向上に寄与する。
【産業上の利用可能性】
【００２３】
以上説明したように、本考案によれば、構造がシンプル且つ貨物室の面積を積荷の量に応じて変更することが可能であり、１台の車両を有効に活用することが可能となる。また、荷室内のスペースを有効に活用することが可能であり、輸送効率の向上を図ることができる。
【符号の説明】
【００２４】
１０  輸送用車両
１２  荷室
１２Ａ  天井部
１４  ダクト
１６  天井パネル
１７  ゴム枠
１８  １８Ａ  １８Ｂ  可動間仕切
１９  側面ドア
２０  ２０Ａ  ２０Ｂ  可動間仕切
２１  固定ベルト
２１Ａ  固定金具
２１Ｂ  係止部
２１Ｃ  レバー
２２  第１の貨物室
２３  固定レール
２３Ａ  係合部
２４  第２の貨物室
２５  天井空間部
２６  第３の貨物室
３０  吸込ファン
３２  吸込口
３４Ａ  ３４Ｂ  ３４Ｃ  送風口
３６Ａ  ３６Ｂ  ３６Ｃ  シャッタ
３８  冷凍機
３９  ヒータ
４０  連通孔
【図１】
0003177565.tif 000003
【図２】
0003177565.tif 000004
【図３】
0003177565.tif 000005
【図４】
0003177565.tif 000006
【図５】
0003177565.tif 000007
【図６】
0003177565.tif 000008
【図７】
0003177565.tif 000009
【図８】
0003177565.tif 000010